(57)【要約】【課題】組み立てやすく、かつ、商品の残量が減っても商品を容易に取り出すことができる包装箱を提供する。【解決手段】箱本体１に設けた揺動開閉する蓋体２を、折畳用の斜折線１５を有する立体形状のものとし、箱本体１に被せるように蓋体２を閉じて係合させる包装箱において、前記箱本体１を、蓋体２が繋がる箱裏板３の一端に箱端板４を介して箱表板５を連設すると共に、箱裏板３の両側に箱側板６を連設し、折畳用の斜折線１０を入れ、箱端板４と箱側板６とをコーナー片７を介して接合し、箱表板５が箱側板６に接離して揺動開閉するように構成する。箱本体１及び蓋体２を、斜折線１０，１５を利用することにより容易に製造して、扁平な状態から組み立てることができ、商品を取り出す際、蓋体２だけでなく、箱表板５を開いて、箱本体１を大きく開口させることができる。【選択図】図４
2008013230.tif 000002
【特許請求の範囲】
【請求項１】
箱本体(1)に設けた揺動開閉する蓋体(2)を、折畳用の斜折線(15)を有する立体形状のものとし、箱本体(1)に被せるように蓋体(2)を閉じて係合させる包装箱において、前記箱本体(1)を、蓋体(2)が繋がる箱裏板(3)の一端に箱端板(4)を介して箱表板(5)を連設すると共に、箱裏板(3)の両側に箱側板(6)を連設し、折畳用の斜折線(10)を入れ、箱端板(4)と箱側板(6)とをコーナー片(7)を介して接合し、箱表板(5)が箱側板(6)に接離して揺動開閉するように構成したことを特徴とする包装箱。
【発明の詳細な説明】
【技術分野】
【０００１】
この発明は、食品、菓子等の包装に使用される包装箱であって、立体形状の揺動する蓋体を備えたものに関するものである。
【背景技術】
【０００２】
従来、菓子等の包装箱として、図９に示すように、箱本体５１に揺動開閉する蓋体５２を設けたものが使用されている。この箱本体５１は、箱表板５３、箱裏板５４及び対向する箱側板５５を継代片５６を介して角筒状に連設し、底となる端面を箱端板５７で閉じ、開口側となる箱表板５３の端縁に折返片５８を連設した構成とされている。
【０００３】
一方、蓋体５２は、箱裏板４３から延びる蓋端板５９の先端側に蓋表板６０を、両側に蓋側板６１を連設し、蓋側板６１の両側から延びるコーナー片６２を、蓋側板６１の斜折線６３での折り曲げに伴い、蓋表板６０の裏面に貼り付けて、蓋表板６０と蓋側板６１とを接合した構成とされている。
【０００４】
そして、蓋体５２を箱本体５１に被せるように閉じると、外側に折り返した折返片５８が反発し、折返片５８の先端縁がコーナー片６２の切欠部の端縁に係合して、蓋体５２が閉止状態に保持される。
【０００５】
また、蓋体５２を開く際には、蓋体５２の蓋表板６１を手前に引き出すか、又は、箱本体５１の箱表板５３を押し込んで大きく撓ませることにより、折返片５８とコーナー片６２との係合を解除すると、蓋体５２が開放される。このような形式の包装箱は、下記特許文献１等の複数の文献に記載されている。
【０００６】
【特許文献１】実開昭６３−３２１２３号公報
【発明の開示】
【発明が解決しようとする課題】
【０００７】
しかしながら、上記のような包装箱では、多数個の小さな商品を箱本体の深さ方向に積層して収納した場合、商品の残量が減ると、箱本体の底となる奥側から商品を取り出すのが難しくなる場合がある。
【０００８】
また、商品の取出性を考慮した包装箱として、箱端板の周囲から箱表板、箱裏板及び各箱側板を延出して起立させる形式も考えられるが。このような包装箱は組み立てにくいという問題がある。
【０００９】
そこで、この発明は、組み立てやすく、かつ、商品の残量が減っても、商品を容易に取り出すことができる包装箱を提供することを課題とする。
【課題を解決するための手段】
【００１０】
上記課題を解決するため、この発明は、箱本体に設けた揺動開閉する蓋体を、折畳用の斜折線を有する立体形状のものとし、箱本体に被せるように蓋体を閉じて係合させる包装箱において、前記箱本体を、蓋体が繋がる箱裏板の一端に箱端板を介して箱表板を連設すると共に、箱裏板の両側に箱側板を連設し、折畳用の斜折線を入れ、箱端板と箱側板とをコーナー片を介して接合し、箱表板が箱側板に接離して揺動開閉するように構成して、斜折線を利用して製造及び組立を行えるようにし、商品取出時には、蓋体及び箱表板を開くと、箱本体が大きく開口するようにしたのである。
【発明の効果】
【００１１】
この包装箱では、商品を取り出す際、蓋体だけでなく、箱本体の箱表板を開くことができるので、商品の残量が減っても、商品を箱本体から容易に取り出すとこができ、再封緘も簡単にできる。
【００１２】
また、製造に際しては、コーナー貼り機を使用して、糊貼り等の作業を容易に行うことができ、その状態から容易に組み立てることができる。
【発明を実施するための最良の形態】
【００１３】
以下、この発明の実施形態を添付図面に基づいて説明する。
【００１４】
図１に示すように、この包装箱の板紙製ブランクは、箱本体１の部分と、蓋体２の部分とから構成されている。
【００１５】
箱本体１の部分では、箱裏板３の一端に箱端板４及び箱表板５が順次連設され、箱裏板３の両側に箱側板６が連設されている。箱側板６の一端にはコーナー片７が、先端には受止片８がそれぞれ連設されている。箱表板５の先端には折返片９が連設され、箱側板６の箱端板４側に位置する角から受止片８にかけて、押罫の斜折線１０が入れられている。
【００１６】
蓋体２の部分では、箱本体１の箱裏板３に蓋端板１１が連設され、蓋端板１１の先端に蓋表板１２が、両側に蓋側板１３がそれぞれ連設されている。蓋側板１３の一端にはコーナー片１４が連設され、蓋側板１３には、蓋表板１２側の角から押罫の斜折線１５が入れられている。
【００１７】
上記のようなブランクから包装箱を製造するには、図２に示すように、箱本体１において、箱側板６及び受止片８を斜折線１０に沿って折り重ね、コーナー片７に箱端板４を重ねて貼り付け、折返片９を折り返す。また、蓋体２において、蓋側板１３を斜折線１５に沿って折り重ね、コーナー片１４に蓋表板１２を貼り付ける。
【００１８】
この製造作業は、通常のコーナー貼り機を使用して、容易に行うことができる。また、このように製造した包装箱は、扁平に折り畳んだ状態で、嵩張ることなく、食品メーカー等へ輸送し、保管しておくことができる。
【００１９】
そして、この包装箱を使用する際には、図３に示すように、箱本体１において、箱側板６と受止片８の斜折線１０での折り曲げを伸ばして、箱裏板３から両方の箱側板６を起立させると共に、箱端板４を起立させ、商品を収納して、受止片８を内側へ折り曲げ、箱表板５を閉じて、受止片８に重ねる。
【００２０】
また、蓋体２において、蓋側板１３の斜折線１５での折り曲げを伸ばして、蓋端板１１から両方の蓋側板１３及び蓋表板１２を起立させ、蓋体２を箱本体１に被せるように閉じる。このとき、折り返した折返片９が反発し、折返片９の先端縁がコーナー片１４の切欠部の端縁に係合して、蓋体２が閉止封緘された状態に保持される。
【００２１】
一方、この包装箱を開封する際には、図４に示すように、蓋体２の蓋表板１２を引っ張り、又は、箱本体１の箱表板５を押し込んで、折返片９とコーナー片１４との係合を解除し、蓋体２及び箱表板５を順次開く。
【００２２】
このように、上記包装箱では、商品を取り出す際、蓋体２だけでなく、箱本体１の箱表板５を開くことができるので、商品の残量が減っても、商品を箱本体１から容易に取り出すことができる。
【００２３】
また、商品を必要な数量だけ取り出した後、箱表板５及び蓋体２を順次閉じると、箱表板５がコーナー片１４の貼り付けにより保形された蓋体２に押さえられて、閉止状態に保持され、容易に再封緘することができる。
【００２４】
さらに、商品がなくなった後、廃棄する際には、蓋体２及び箱表板５を開いて、斜折線１０，１５に沿って折り曲げることにより、図２に示すように、再度扁平に折り畳んで、嵩張らない状態で廃棄することができる。
【００２５】
なお、上記実施形態では、蓋体２を閉止状態に保持するため、折返片９とコーナー片１４とを係合させたが、図５及び図６に示すように、箱表板５に設けた係止突片１６を、蓋表板１２から延びる摘み片１７の基端に形成した弧状スリット１８に係脱させて、蓋体２を閉止又は開放できるようにしてもよい。
【００２６】
また、図７及び図８に示すように、蓋表板１２に設けた差込片１９を、箱表板５に形成した山形のスリット２０に差し込んで、蓋体２を閉止状態に保持するようにし、差込片１９をスリット２０から引き抜いて、蓋体２を開くようにしてもよい。
【００２７】
また、箱本体１を、箱裏板３、箱表板５及び対向する箱側板６が四角筒状を形成するものとしたが、箱本体１は、箱裏板３及び箱表板５と箱側板６との稜部に面取状の傾斜面を有する形状のものとしてもよい。
【００２８】
さらに、箱本体１を、箱側板６から延びるコーナー片７を箱端板４の裏面に貼り付けて保形するようにしたが、箱端板４と箱側板６とをコーナー片７を介して繋いでおき、箱裏板３の角から延びる谷折線に沿ってコーナー片７を折り込むことにより、保形するようにしてもよい。
【００２９】
そのほか、蓋体２を、コーナー片１４を蓋表板１２の裏面に貼り付けて保形するようにしたが、蓋体２は、蓋表板１２の先端からの延長部分でコーナー片１４を抱き込むことにより、保形するようにしてもよい。
【図面の簡単な説明】
【００３０】
【図１】この発明の実施形態に係る包装箱のブランクを示す図
【図２】同上の折畳状態を示す斜視図
【図３】同上の封緘状態を示す斜視図
【図４】同上の蓋体及び箱表板の開放状態を示す斜視図
【図５】他の蓋体保持部を備えた包装箱の封緘状態を示す斜視図
【図６】同上の蓋体の開放状態を示す斜視図
【図７】他の蓋体保持部を備えた包装箱の封緘状態を示す斜視図
【図８】同上の蓋体の開放状態を示す斜視図
【図９】従来の包装箱の蓋体開放状態を示す斜視図
【符号の説明】
【００３１】
１  箱本体
２  蓋体
３  箱裏板
４  箱端板
５  箱表板
６  箱側板
７  コーナー片
８  受止片
９  折返片
１０  斜折線
１１  蓋端板
１２  蓋表板
１３  蓋側板
１４  コーナー片
１５  斜折線
１６  係止突片
１７  摘み片
１８  スリット
１９  差込片
２０  スリット
【図１】
2008013230.tif 000003
【図２】
2008013230.tif 000004
【図３】
2008013230.tif 000005
【図４】
2008013230.tif 000006
【図５】
2008013230.tif 000007
【図６】
2008013230.tif 000008
【図７】
2008013230.tif 000009
【図８】
2008013230.tif 000010
【図９】
2008013230.tif 000011